【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
ムービーボックスを備えるファイルを生成することを備え、前記ムービーボックスは、前記ファイル中に存在する連続的なメディアストリームのメタデータを含み、前記ファイルを生成することは、
前記マルチレイヤビデオデータのビットストリームの少なくとも１つのアクセスユニットが、第１の値に等しいピクチャ出力フラグを有するコーディングされたピクチャと、前記第１の値と異なる第２の値に等しいピクチャ出力フラグを有するコーディングされたピクチャとを含むという決定に応答して、前記ファイルに前記ビットストリームを記憶するために、少なくとも第１のトラックと第２のトラックとを使用することと、ここにおいて、
前記第１のトラックおよび第２のトラックからの各それぞれのトラックに対して、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックに対して、それぞれのトラックボックスを前記ムービーボックスに含めることと、前記それぞれのトラックボックスは、前記それぞれのトラックのためのメタデータを封入し、ここにおいて、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入される、
を備える、
方法。
【請求項２】
前記ファイルを生成することは、
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用することを備える、請求項１に記載の方法。
【請求項３】
前記マルチレイヤビデオデータはスケーラブル高効率ビデオコーディング（ＳＨＶＣ）データである、請求項１に記載の方法。
【請求項４】
前記マルチレイヤビデオデータはマルチビュー高効率ビデオコーディング（ＭＶ−ＨＥＶＣ）データである、請求項１に記載の方法。
【請求項５】
前記マルチレイヤビデオデータは３次元高効率ビデオコーディング（３Ｄ−ＨＥＶＣ）データである、請求項１に記載の方法。
【請求項６】
前記第１の値は１に等しく、前記第２の値は０に等しい、請求項１に記載の方法。
【請求項７】
前記マルチレイヤビデオデータを符号化することをさらに備える、請求項１に記載の方法。
【請求項８】
マルチレイヤビデオデータを処理する方法であって、
ファイルから、第１のトラックボックスと第２のトラックボックスとを取得することを備え、前記第１のトラックボックスおよび前記第２のトラックボックスは、前記ファイル中に存在する連続的なメディアストリームのメタデータを含むムービーボックスであり、ここにおいて、
前記ファイルの各それぞれのトラックに対して、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入され、
前記第１のトラックボックスは前記ファイル中の第１のトラックのためのメタデータを含み、前記第２のトラックボックスは前記ファイル中の第２のトラックのためのメタデータを含み、
前記第１のトラックおよび前記第２のトラックからの各それぞれのトラックに対して、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、前記第１の値と異なる第２の値に等しいピクチャ出力フラグを有するピクチャは、参照ピクチャとして使用されることを許可されるが出力されることを許可されない、
方法。
【請求項９】
前記マルチレイヤビデオデータはスケーラブル高効率ビデオコーディング（ＳＨＶＣ）データである、請求項８に記載の方法。
【請求項１０】
前記マルチレイヤビデオデータはマルチビュー高効率ビデオコーディング（ＭＶ−ＨＥＶＣ）データである、請求項８に記載の方法。
【請求項１１】
前記マルチレイヤビデオデータは３次元高効率ビデオコーディング（３Ｄ−ＨＥＶＣ）データである、請求項８に記載の方法。
【請求項１２】
前記第１の値は１に等しく、前記第２の値は０に等しい、請求項８に記載の方法。
【請求項１３】
前記第１のトラックおよび第２のトラックからの各それぞれのトラックに対して、
前記それぞれのトラックの各サンプル中の前記コーディングされたピクチャを復号することと、
前記第１の値に等しいピクチャ出力フラグを有する前記復号されたピクチャを出力することと、
をさらに備える、請求項８に記載の方法。
【請求項１４】
前記方法は、ワイヤレス通信デバイス上で実行可能であり、前記ワイヤレス通信デバイスは、
前記マルチレイヤビデオデータを記憶するように構成されたメモリと、
前記メモリに記憶された前記マルチレイヤビデオデータを処理する命令を実行するように構成されたプロセッサと、
前記ファイルを受信するように構成された受信機と、
を備える、請求項８に記載の方法。
【請求項１５】
前記ワイヤレス通信デバイスは、携帯電話機であり、前記ファイルは、前記受信機によって受信され、セルラ通信規格に従って変調される、請求項１４に記載の方法。
【請求項１６】
マルチレイヤビデオデータを処理するためのビデオデバイスであって、
前記マルチレイヤビデオデータを記憶するように構成されるデータ記憶媒体と、
１つまたは複数のプロセッサと、を備え、前記１つまたは複数のプロセッサは、
ムービーボックスを備えるファイルを生成するように構成され、前記ムービーボックスは、前記ファイル中に存在する連続的なメディアストリームのメタデータを含み、前記ファイルを生成するために、前記１つまたは複数のプロセッサは、
前記マルチレイヤビデオデータのビットストリームの少なくとも１つのアクセスユニットが、第１の値に等しいピクチャ出力フラグを有するコーディングされたピクチャと、前記第１の値と異なる第２の値に等しいピクチャ出力フラグを有するコーディングされたピクチャとを含むという決定に応答して、前記ファイルに前記ビットストリームを記憶するために、少なくとも第１のトラックと第２のトラックとを使用することと、ここにおいて、
前記第１のトラックおよび第２のトラックからの各それぞれのトラックに対して、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックに対して、それぞれのトラックボックスを前記ムービーボックスに含めることと、前記それぞれのトラックボックスは、前記それぞれのトラックのためのメタデータを封入し、ここにおいて、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入される、
を備える、
ビデオデバイス。
【請求項１７】
前記ファイルを生成するために、前記１つまたは複数のプロセッサは、
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用するように構成される、請求項１６に記載のビデオデバイス。
【請求項１８】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データのうちの１つである、請求項１６に記載のビデオデバイス。
【請求項１９】
前記第１の値は１に等しく、前記第２の値は０に等しい、請求項１６に記載のビデオデバイス。
【請求項２０】
前記１つまたは複数のプロセッサは、前記マルチレイヤビデオデータを符号化するように構成される、請求項１６に記載のビデオデバイス。
【請求項２１】
マルチレイヤビデオデータを処理するためのビデオデバイスであって、
前記マルチレイヤビデオデータを記憶するように構成されるデータ記憶媒体と、
１つまたは複数のプロセッサと、
を備え、前記１つまたは複数のプロセッサは、
ファイルから、第１のトラックボックスと第２のトラックボックスとを取得するように構成され、前記第１のトラックボックスおよび前記第２のトラックボックスは、前記ファイル中に存在する連続的なメディアストリームのメタデータを含むムービーボックスであり、ここにおいて、
前記ファイルの各それぞれのトラックに対して、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入され、
前記第１のトラックボックスは前記ファイル中の第１のトラックのためのメタデータを含み、前記第２のトラックボックスは前記ファイル中の第２のトラックのためのメタデータを含み、
前記第１のトラックおよび前記第２のトラックからの各それぞれのトラックに対して、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、前記第１の値と異なる第２の値に等しいピクチャ出力フラグを有するピクチャは、参照ピクチャとして使用されることを許可されるが出力されることを許可されない、ビデオデバイス。
【請求項２２】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データの１つである、請求項２１に記載のビデオデバイス。
【請求項２３】
前記第１の値は１に等しく、前記第２の値は０に等しい、請求項２１に記載のビデオデバイス。
【請求項２４】
前記１つまたは複数のプロセッサは、
前記第１のトラックおよび第２のトラックからの各それぞれのトラックに対して、
前記それぞれのトラックの各サンプル中の前記コーディングされたピクチャを復号し、
前記第１の値に等しいピクチャ出力フラグを有する前記復号されたピクチャを出力する
ように構成される、請求項２１に記載のビデオデバイス。
【請求項２５】
前記ビデオデバイスは、ワイヤレス通信デバイスであり、
前記ファイルを受信するように構成された受信機
をさらに備える、請求項２１に記載のビデオデバイス。
【請求項２６】
前記ワイヤレス通信デバイスは、携帯電話機であり、前記ファイルは、前記受信機によって受信され、セルラ通信規格に従って変調される、請求項２５に記載のビデオデバイス。
【請求項２７】
マルチレイヤビデオデータを処理するためのビデオデバイスであって、
前記マルチレイヤビデオデータを記憶するための手段と、
ムービーボックスを備えるファイルを生成するための手段と、前記ムービーボックスは、前記ファイル中に存在する連続的なメディアストリームのメタデータを含み、
を備え、前記ファイルを生成するための前記手段は、
前記マルチレイヤビデオデータのビットストリームの少なくとも１つのアクセスユニットが、第１の値に等しいピクチャ出力フラグを有するコーディングされたピクチャと、前記第１の値と異なる第２の値に等しいピクチャ出力フラグを有するコーディングされたピクチャとを含むという決定に応答して、前記ファイルに前記ビットストリームを記憶するために、少なくとも第１のトラックと第２のトラックとを使用するための手段と、ここにおいて、
前記第１のトラックおよび第２のトラックからの各それぞれのトラックに対して、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックに対して、それぞれのトラックボックスを前記ムービーボックスに含めるための手段と、前記それぞれのトラックボックスは、前記それぞれのトラックのためのメタデータを封入し、ここにおいて、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入される、
を備える、
ビデオデバイス。
【請求項２８】
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用するための手段を備える、請求項２７に記載のビデオデバイス。
【請求項２９】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データのうちの１つである、請求項２７に記載のビデオデバイス。
【請求項３０】
前記第１の値は１に等しく、前記第２の値は０に等しい、請求項２７に記載のビデオデバイス。
【請求項３１】
マルチレイヤビデオデータを処理するためのビデオデバイスであって、
ファイルを受信するための手段と、
前記ファイルから、第１のトラックボックスと第２のトラックボックスとを取得するための手段を備え、前記第１のトラックボックスおよび前記第２のトラックボックスは、前記ファイル中に存在する連続的なメディアストリームのメタデータを含むムービーボックスであり、ここにおいて、
前記ファイルの各それぞれのトラックに対して、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入され、
前記第１のトラックボックスは前記ファイル中の第１のトラックのためのメタデータを含み、前記第２のトラックボックスは前記ファイル中の第２のトラックのためのメタデータを含み、
前記第１のトラックおよび前記第２のトラックからの各それぞれのトラックに対して、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、前記第１の値と異なる第２の値に等しいピクチャ出力フラグを有するピクチャは、参照ピクチャとして使用されることを許可されるが出力されることを許可されない、
ビデオデバイス。
【請求項３２】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データのうちの１つである、請求項３１に記載のビデオデバイス。
【請求項３３】
前記第１の値は１に等しく、前記第２の値は０に等しい、請求項３１に記載のビデオデバイス。
【請求項３４】
実行されると、１つまたは複数のプロセッサに、
ムービーボックスを備えるファイルを生成させる命令を記憶した、非一時的コンピュータ可読データ記憶媒体であって、前記ムービーボックスは、前記ファイル中に存在する連続的なメディアストリームのメタデータを含み、前記ファイルを生成するために、前記命令は、前記１つまたは複数のプロセッサに、
前記マルチレイヤビデオデータのビットストリームの少なくとも１つのアクセスユニットが、第１の値に等しいピクチャ出力フラグを有するコーディングされたピクチャと、前記第１の値と異なる第２の値に等しいピクチャ出力フラグを有するコーディングされたピクチャとを含むという決定に応答して、前記ファイルに前記ビットストリームを記憶するために、少なくとも第１のトラックと第２のトラックとを使用させ、ここにおいて、
前記第１のトラックおよび前記第２のトラックからの各それぞれのトラックに対して、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックに対して、それぞれのトラックボックスを前記ムービーボックスに含ませる、前記それぞれのトラックボックスは、前記それぞれのトラックのためのメタデータを封入し、ここにおいて、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入される、
非一時的コンピュータ可読データ記憶媒体。
【請求項３５】
前記命令は、１つまたは複数のプロセッサに、
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用させる、請求項３４に記載の非一時的コンピュータ可読データ記憶媒体。
【請求項３６】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データのうちの１つである、請求項３４に記載の非一時的コンピュータ可読データ記憶媒体。
【請求項３７】
実行されると、１つまたは複数のプロセッサに、
ファイルから、第１のトラックボックスと第２のトラックボックスとを取得させる命令を記憶した、非一時的コンピュータ可読データ記憶媒体であって、前記第１のトラックボックスおよび前記第２のトラックボックスは、前記ファイル中に存在する連続的なメディアストリームのメタデータを含むムービーボックスであり、ここにおいて、
前記ファイルの各それぞれのトラックに対して、前記ファイル中に存在する前記メディアストリームの各々は、前記ファイルにおいて前記ファイルのそれぞれのトラックとして表され、前記それぞれのトラックのための前記メディアストリームは、サンプルのそれぞれのシーケンスを備え、サンプルの前記それぞれのシーケンスは、前記マルチレイヤビデオデータのアクセスユニットを含み、前記それぞれのトラックのための前記メディアストリームは、前記ファイルのメディアデータボックスに封入され、
前記第１のトラックボックスは前記ファイル中の第１のトラックのためのメタデータを含み、前記第２のトラックボックスは前記ファイル中の第２のトラックのためのメタデータを含み、
前記第１のトラックおよび前記第２のトラックからの各それぞれのトラックに対して、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、前記第１の値と異なる第２の値に等しいピクチャ出力フラグを有するピクチャは、参照ピクチャとして使用されることを許可されるが出力されることを許可されない、非一時的コンピュータ可読データ記憶媒体。
【請求項３８】
前記マルチレイヤビデオデータは、スケーラブル高効率ビデオコーディング（ＳＨＶＣ）データ、マルチビュー高効率ビデオコーディング（ＭＶ−ＨＥＶＣ）データ、または３次元高効率ビデオコーディング（３Ｄ−ＨＥＶＣ）データのうちの１つである、請求項３７に記載の非一時的コンピュータ可読データ記憶媒体。